(57)【要約】【課題】発光パネルからの発光を最大限有効に利用できる照明器具を提供する。【解決手段】基板前面に少なくとも透明電極と、有機発光層と、金属電極とを積層形成して成る発光パネル１と、発光パネル１に駆動電圧を供給する点灯装置２と、発光パネル１の発光面を露出するための開口部が設けられて発光パネル１と点灯装置２とを収納するハウジング３とを備えた照明器具であって、開口部は、発光パネル１の発光面と略同一の大きさで、発光パネル１の背面側に点灯装置２を配置した。【選択図】図１
2007145148.tif 000002
【特許請求の範囲】
【請求項１】
基板前面に少なくとも透明電極と、有機発光層と、金属電極とを積層形成して成る発光パネルと、発光パネルに駆動電圧を供給する点灯装置と、発光パネルの発光面を露出するための開口部が設けられて発光パネルと点灯装置とを収納するハウジングとを備えた照明器具であって、開口部は、発光パネルの発光面と略同一の大きさで、発光パネルの背面側に点灯装置を配置したことを特徴とする照明器具。
【請求項２】
前記ハウジングは、開口部を下方に向けて天井に設けられた埋込孔に埋め込み配置されることを特徴とする請求項１記載の照明器具。
【請求項３】
前記ハウジングは、少なくとも発光パネルを保持する保持部と、略水平の載置面に載置されて保持部の背面を支持する支持部とから成ることを特徴とする請求項１記載の照明器具。
【請求項４】
前記支持部は、その内部に点灯装置を配置したことを特徴とする請求項３記載の照明器具。
【発明の詳細な説明】
【技術分野】
【０００１】
本発明は、有機ＥＬ素子を光源とする照明器具に関する。
【背景技術】
【０００２】
従来、有機ＥＬ素子から成る発光パネルを表示装置として用いたものがあり、例えば特許文献１で開示されているようなものがある。この従来例は、文字部分を打ち抜き、透明乃至半透明の合成樹脂板を文字部分に貼着したナンバープレートの背面に、文字部分を光らせるためのエレクトロルミネッセンス板を配置すると共に、自動車に搭載されているバッテリに接続した直流／交流インバータを設け、更にエレクトロルミネッセンス板に設けられた２つの電極に直流／交流インバータを電気的に接続した字光性ナンバープレートで、自動車に搭載されているバッテリより電力を得てエレクトロルミネッセンス板を発光させるものである。
【特許文献１】実開平７−１５４３４号公報
【発明の開示】
【発明が解決しようとする課題】
【０００３】
しかしながら、上記従来例は表示装置の構成であって、この構成を照明器具に適用すると、光が外部に取り出される文字部分の打ち抜きよりもエレクトロルミネッセンス板の方が大きいために、エレクトロルミネッセンス板からの光を有効に利用することができないという問題があった。
【０００４】
本発明は、上記の点に鑑みて為されたもので、発光パネルからの発光を最大限有効に利用できる照明器具を提供することを目的とする。
【課題を解決するための手段】
【０００５】
請求項１の発明は、上記目的を達成するために、基板前面に少なくとも透明電極と、有機発光層と、金属電極とを積層形成して成る発光パネルと、発光パネルに駆動電圧を供給する点灯装置と、発光パネルの発光面を露出するための開口部が設けられて発光パネルと点灯装置とを収納するハウジングとを備えた照明器具であって、開口部は、発光パネルの発光面と略同一の大きさで、発光パネルの背面側に点灯装置を配置したことを特徴とする。
【０００６】
請求項２の発明は、請求項１の発明において、ハウジングは、開口部を下方に向けて天井に設けられた埋込孔に埋め込み配置されることを特徴とする。
【０００７】
請求項３の発明は、請求項１の発明において、ハウジングは、少なくとも発光パネルを保持する保持部と、略水平の載置面に載置されて保持部の背面を支持する支持部とから成ることを特徴とする。
【０００８】
請求項４の発明は、請求項３の発明において、支持部は、その内部に点灯装置を配置したことを特徴とする。
【発明の効果】
【０００９】
請求項１の発明によれば、開口部を発光パネルと略同一の大きさにしたので、発光パネルの発光面のほぼ全面を外部に臨ませることができ、更に発光パネルの背面側に点灯装置を配置したので、発光パネルの発光面からの発光を最大限有効に利用することができる。
【００１０】
請求項２の発明によれば、ハウジングは、開口部を下方に向けて天井に設けられた埋込孔に埋め込み配置されるので、請求項１の効果を奏するダウンライト型の照明器具を提供することができる。
【００１１】
請求項３の発明によれば、ハウジングは、少なくとも発光パネルを保持する保持部と、略水平の載置面に載置されて保持部の背面を支持する支持部とから成るので、請求項１の効果を奏するスタンド型の照明器具を提供することができる。
【００１２】
請求項４の発明によれば、支持部は、その内部に点灯装置を配置したので、ハウジングにおける点灯装置を設けるスペースが不要となるため、ハウジングを小型化することができる。また、点灯装置の重量によって支持部の重量が増し、載置面に対して安定したスタンド型の照明器具を提供することができる。
【発明を実施するための最良の形態】
【００１３】
（実施形態１）
以下、本発明の第一の実施形態について図面を参照して説明する。本実施形態は、有機ＥＬ素子から成る発光パネル１と、発光パネル１に駆動電圧を供給する点灯装置２と、発光パネル１の発光面を露出するための開口部が設けられて発光パネル１と点灯装置２とを収納するハウジング３とを備え、ハウジング３が天井に設けられた埋込孔４に埋め込み配置されるダウンライト型の照明器具である（図１（ａ）参照）。
【００１４】
発光パネル１は、例えばガラス等の透明基板（図示せず）上に陽極を構成する透明電極（図示せず）、有機材料を含む発光層（図示せず）、および陰極を構成する金属電極（図示せず）が順次積層されて略円形状に形成されており、透明電極及び金属電極に順方向電圧を印加することで発光層が発光し、透明電極及び基板を通じて光が外部に取り出される。尚、本実施形態では略円形状であるが、この形状に限定される必要は無く、他の形状でも構わない。
【００１５】
ハウジング３は、一面を開口して略円筒状に形成されており、開口部の周縁には天井に設けられた埋込孔４の周縁を覆い天井に当接するフランジ３ａが全周に亘って形成されている。ハウジング３は、開口部を下方に向けた状態で埋込孔４を挿通して埋め込まれ、図示しない取付バネとフランジ３ａによって天井材を挟持することで取付けられる。開口部は、発光パネル１の発光面と略同一の大きさとなるように形成されている。
【００１６】
点灯装置２は、発光パネル１を駆動するのに適した電圧（駆動電圧）を生成するもので、例えば交流電源電圧を全波整流するダイオードブリッジ２０と、整流された脈流電圧を平滑化する平滑用コンデンサＣと、平滑された電圧を発光パネル１の駆動電圧まで降圧するＭＯＳＦＥＴ等のスイッチング素子を用いた降圧コンバータ２１とから構成される（図２参照）。また、有機ＥＬ素子は逆方向の電圧を印加することで発光寿命を長くできることが知られているので、ＭＯＳＦＥＴ等のスイッチング素子から成るフルブリッジインバータ２２を降圧コンバータ２１の出力端に接続し、スイッチング素子のオン／オフを切り替えることで発光パネル１に順方向電圧と逆方向電圧を交互に印加するようにしてもよい。尚、点灯装置２の構成はこれに限定される必要は無く、発光パネル１を駆動できるものであれば他の構成でも構わない。
【００１７】
点灯装置２は、略円柱形状に形成された筐体２ａに収納されている。筐体２ａの上面の略中央には、略円筒状の電源線挿通部２ｂが一体に形成されており、該電源線挿通部２ｂを介して外部の交流電源（図示せず）から引き出される電源線７が筐体２ａ内に引き込まれ、該電源線７を介して点灯装置２は外部の交流電源と電気的に接続している。また、電源線挿通部２ｂの上側の端部はハウジング３の上面に固定され、筐体２ａ及び発光パネル１をハウジング３内で吊持している。
【００１８】
筐体２ａの下面には、発光パネル１を筐体２ａの下側において一定の間隔を空けて固定するための固定部２ｃが、筐体２ａ下面の周縁に一定の間隔を空けて４ヶ所に形成されている（図１（ｂ）参照）。固定部２ｃの一方の先端には各々発光パネル１を上下から挟持する略コ字状の挟持片（図示せず）が突設されている。挟持片の少なくとも１つには、発光パネル１と対向する２面にそれぞれ発光パネル１の陽極を構成する透明電極及び陰極を構成する金属電極と当接する電極（図示せず）と、該電極と点灯装置２とを接続する電線（図示せず）とを備えており、該電極と発光パネル１の電極とが接触することで、挟持片及び固定部２ｃの内部を介して点灯装置２と電気的に接続され、点灯装置２から発光パネル１の駆動電圧を供給している。
【００１９】
尚、１つの挟持片に両極との接続を担わせる必要は無く、例えば２つの挟持片にそれぞれ発光パネル１の陽極及び陰極に対応する電極を備えてもよい。また、４つの挟持片全てに電極を備えるようにしてもよく、この場合、発光パネル１の透明電極での電圧降下の影響を分散させることができ、発光パネル１の発光面での光の均整度を向上することができる。
【００２０】
上述のように、開口部を発光パネル１と略同一の大きさにすることで、発光パネルの発光面のほぼ全面を外部に臨ませることができ、更に発光パネル１の背面側に点灯装置２を配置したので、発光パネル１の発光面からの発光を最大限有効に利用することができるダウンライト型の照明器具を提供することができる。
【００２１】
（実施形態２）
以下、本発明の第二の実施形態について図３を用いて説明する。但し、実施形態１と共通する部位については説明を省略する。本実施形態は、発光パネル１及び点灯装置２を内部で保持する保持部５と、略水平の載置面に載置されて保持部５の背面を支持する支持部６とからハウジング３が構成されるスタンド型の照明器具である。
【００２２】
保持部５は、矩形状の箱体に形成され、発光パネル１の発光面を外部に臨ませるために前面を開口しており、開口部は発光パネル１の発光面と略同一の大きさに形成されている。発光パネル１は、図示していないが、実施形態１と同様の構成をしていて、その形状は矩形状である。点灯装置２は、図示していないが、プリント配線板上に実施形態１と同様の回路を実装して成り、保持部５の内部において発光パネル１は前面側に、点灯装置２は背面側に配置され、電線（図示せず）を介して互いに電気的に接続されている。尚、図示は省略しているが、保持部５の背面には外部の交流電源から引き出される電源線７を内部に引き込むための挿通孔が設けられている。
【００２３】
支持部６は、略三角柱状に形成された固定台８と、固定台８及び保持部５の背面に取付けられて保持部５を水平方向に回動自在とするヒンジ部９とから成る。ヒンジ部９は、保持部５の背面の略中央において、図３における上下方向に一定の間隔を空けて取付けられた２つの略円筒状の可動部９ａと、固定台８に取付けられ可動部９ａの間に挟まれる略円筒状の固定部９ｂとを互いに分離しないように組みつけられて成り、可動部９ａは、固定部９ｂによって可動部９ａ及び固定部９ｂの中心軸に対して回動自在に支持される。
【００２４】
上述のように構成することで、保持部５が前記左右方向に回動自在となる。
【００２５】
（実施形態３）
以下、本発明の第三の実施形態について図４を用いて説明する。但し、実施形態１、２と共通する部位については説明を省略する。本実施形態は、実施形態２におけるヒンジ部９を保持部５の背面の略中央において、図４における左右方向と一致するように配置したことに特徴がある。上述のように構成することで、保持部５が前記上下方向に回動自在となる。
【００２６】
ところで、実施形態２及び実施形態３において、点灯装置２を保持部５に内蔵する代わりに、支持部６の内部に点灯装置２を組み込んでもよい。この場合、点灯装置２の重量が支持部６に加わるので、支持部６による保持部５の支持がより安定したものとなる。また、保持部５における載置面と対向する底面及び固定台８の底面を載置面に対して滑りにくくすると、照明器具の使用上好適である。
【図面の簡単な説明】
【００２７】
【図１】本発明の第一の実施形態の照明器具を示す図で、（ａ）は断面図で、（ｂ）は発光パネル及び点灯装置を下方から見た平面図である。
【図２】同上の点灯装置の回路図である。
【図３】本発明の第二の実施形態の照明器具を示す概略図である。
【図４】本発明の第三の実施形態の照明器具を示す概略図である。
【符号の説明】
【００２８】
１  発光パネル
２  点灯装置
３  ハウジング
４  埋込孔
５  保持部
６  支持部
【図１】
2007145148.tif 000003
【図２】
2007145148.tif 000004
【図３】
2007145148.tif 000005
【図４】
2007145148.tif 000006